(57)【要約】【課題】原稿搬送ユニットの裏面側にジャム解除用の開閉部材を設けた場合、開閉部材を締め忘れたまま原稿搬送ユニットを閉じてしまうことを防止する。【解決手段】プラテンガラス２２の下部に配置された画像読取部と、プラテンガラス２２に対して開閉可能に取り付けられたＡＤＦ２４と、を備え、ＡＤＦ２４の搬送経路における原稿のジャムを検出するジャム検出部２７と、ＡＤＦ２４のプラテンガラス側に設けられ、開くことで搬送経路の少なくとも一部を露出可能な開閉カバー１３２と、開閉カバー１３２の開閉状態を検出する第１検出部８０と、ＡＤＦ２４のプラテンガラス２２に対する開閉角度を検出する第２検出部８１と、第２検出部８１により所定角度以下にＡＤＦ２４が閉じられたことを検出したときに、第１検出部８１により開閉カバー１３２が開いていると判断された場合、警告通知を行う警告通知部５８４と、を備えた。【選択図】図８
2012156635.tif 000002
【特許請求の範囲】
【請求項１】
原稿を載置するための原稿載置面と、前記原稿載置面の下部に配置され原稿の画像情報を読み取るための画像読取部と、前記原稿載置面に対して開閉可能に取り付けられ、給紙トレイに載置された原稿を搬送経路に沿って読取位置に搬送して、前記画像読取部により画像情報を読み取った後、排出トレイに排出させる原稿搬送ユニットと、を備えた原稿読取装置であって、
前記原稿搬送ユニットの前記原稿載置面側に設けられ、開くことで前記搬送経路の少なくとも一部を露出可能な開閉部材と、
前記開閉部材の開閉状態を検出する第１検出部と、
前記原稿搬送ユニットの前記原稿載置面に対する開閉角度を検出する第２検出部と、
前記第２検出部により所定角度以下に前記原稿搬送ユニットが閉じられたことを検出したときに、前記第１検出部により前記開閉部材が開いていると判断された場合、警告通知を行う警告通知部と、を備えたことを特徴とする原稿読取装置。
【請求項２】
前記搬送経路に設けられたジャム検出センサーが前記第１検出部の機能を兼ねていることを特徴とする請求項１に記載の原稿読取装置。
【請求項３】
前記開閉部材が閉じている場合、前記ジャム検出センサーによりジャムが検出されると、前記開閉部材の開放を促すメッセージを出力するメッセージ出力部を備えていることを特徴とする請求項２に記載の原稿読取装置。
【請求項４】
前記警告通知部は、警告音又は音声案内を出力することを特徴とする請求項１〜３のいずれか１項に記載の原稿読取装置。
【発明の詳細な説明】
【技術分野】
【０００１】
本発明は、原稿を搬送しながら画像情報を読み取る原稿搬送ユニットを有する原稿読取装置に関するものである。
【背景技術】
【０００２】
かかる原稿読取装置として、例えば、下記特許文献１に開示されるシート搬送装置があげられる。原稿読取装置は、原稿搬送ユニットを備えており、給紙トレイに載置された原稿を１枚ずつ搬送経路に送り出し、読取位置にて画像情報を読み取った後、排出トレイへ排出される。この原稿搬送ユニット（オートドキュメントフィーダ：ＡＤＦ）は、フラットヘッドスキャナー（ＦＢＳ）の原稿載置面に対して、開閉可能な状態で取り付けられる。ＦＢＳで原稿を読み取る時は、ＡＤＦを開放して、原稿載置面に原稿を載置してスキャナーにより画像情報が読み取られる。
【０００３】
上記の原稿搬送ユニットでは、原稿を搬送経路に沿って搬送させるため、何らかの原因で紙詰まり（ジャム）が発生することがある。ジャムが発生した場合は、原稿を搬送経路から取り出す必要があるため、搬送経路を露出するための開閉部材（開閉カバー）が設けられている。例えば、下記特許文献１では、ユニットの上部にジャム開閉カバーが設けられており、これを開くことで、ジャムを解除することができる。
【先行技術文献】
【特許文献】
【０００４】
【特許文献１】特開２００８−１２０５３４号公報
【発明の概要】
【発明が解決しようとする課題】
【０００５】
しかしながら、ジャムが発生する場所によっては、上部の開閉カバーを開けただけでは、詰まった原稿を取り出しにくいことがある。例えば、読取位置は原稿搬送ユニットの裏面にあり、搬送経路はユニットの裏面側にもある。この裏面側の搬送経路でジャムが発生した場合は、上部の開閉カバーを開くよりも、むしろ、原稿載置面に面する裏面側に開閉カバーを設けたほうがジャムの解除を行いやすくなる。
【０００６】
この場合、裏面側の開閉カバーを開くためには、原稿搬送ユニットを原稿載置面に対して開いた状態にする必要がある。そして、開閉カバーを開き、ジャムを解除した後に、開閉カバーを閉じて、原稿搬送ユニットを閉じる動作を行う。
【０００７】
しかし、開閉カバーを閉じるのを忘れて原稿搬送ユニットを閉じようとする可能性がある。特に、裏面側の開閉カバーは開閉状態が確認しにくいため、ジャムを解除した後も閉め忘れる可能性がある。仮に、開閉カバーを開いたまま原稿搬送ユニットを閉じようとすれば、開閉カバーの端部が原稿載置面（通常はガラス面）に接触し、原稿載置面に傷をつけてしまう可能性と、部品を破損してしまう可能性が生じる。
【０００８】
本発明は上記実情に鑑みてなされたものであり、その課題は、原稿搬送ユニットの裏面側にジャム解除用の開閉部材を設けた場合、開閉部材を閉め忘れたまま原稿搬送ユニットを閉じてしまうことを防止する原稿読取装置を提供することである。
【課題を解決するための手段】
【０００９】
上記課題を解決するため本発明に係る原稿読取装置は、
原稿を載置するための原稿載置面と、前記原稿載置面の下部に配置され原稿の画像情報を読み取るための画像読取部と、前記原稿載置面に対して開閉可能に取り付けられ、給紙トレイに載置された原稿を搬送経路に沿って読取位置に搬送して、前記画像読取部により画像情報を読み取った後、排出トレイに排出させる原稿搬送ユニットと、を備えた原稿読取装置であって、
前記原稿搬送ユニットの前記原稿載置面側に設けられ、開くことで前記搬送経路の少なくとも一部を露出可能な開閉部材と、
前記開閉部材の開閉状態を検出する第１検出部と、
前記原稿搬送ユニットの前記原稿載置面に対する開閉角度を検出する第２検出部と、
前記第２検出部により所定角度以下に前記原稿搬送ユニットが閉じられたことを検出したときに、前記第１検出部により前記開閉部材が開いていると判断された場合、警告通知を行う警告通知部と、を備えたことを特徴とするものである。
【００１０】
かかる構成を有する原稿読取装置の作用及び効果を説明する。この原稿読取装置は、原稿載置面に対して開閉可能に取り付けられる原稿搬送ユニットを備えている。原稿搬送ユニットは、ジャム検出部を備えており、原稿の搬送中にジャムが発生した場合、これを検出する。また、原稿載置面側（裏面側）に、搬送経路の少なくとも一部を露出可能な開閉部材が設けられている。第１検出部は、開閉部材の開閉状態を検出する。また、原稿搬送ユニットの開閉状態を検出するために第２検出部が設けられ、開閉角度の検出を行う。そして、ジャムが発生して、原稿搬送ユニットを開き、更に開閉部材も開いて、ジャムの解除を行った後、開閉部材を開いたまま原稿搬送ユニットを閉じようとすれば、所定角度以下に閉じた時点で警告通知がなされる。これにより、ユーザーは、開閉部材を閉め忘れていることに気が付き、原稿載置面の損傷や部品の破損等の問題をなくすことができる。以上のように、開閉部材を締め忘れたまま原稿搬送ユニットを閉じてしまうことを防止することができる。
【００１１】
本発明において、前記搬送経路に設けられたジャム検出センサーが前記第１検出部の機能を兼ねていることが好ましい。
【００１２】
ジャム検出センサーは、ジャムが発生したか否かを検出する目的で設けられる。このセンサーを利用して、第１検出部の機能を兼ねることで、部品点数を減らし、構成を簡素化することができる。
【００１３】
本発明において、前記開閉部材が閉じている場合、前記ジャム検出センサーによりジャムが検出されると、前記開閉部材の開放を促すメッセージを出力するメッセージ出力部を備えていることが好ましい。
【００１４】
開閉部材の開放を促すメッセージを出すことで、ユーザーは、ジャム処理の対応として、開閉部材を開かねばならないことを認識することができる。これにより、ジャムの解除をスムーズに行うことができる。
【００１５】
本発明において、前記警告通知部は、警告音又は音声案内を出力することが好ましい。視覚的な表示による通知では、ユーザーが見落とすことがある。そこで、音あるいは音声で通知をすることにより、確実にユーザーにジャムの発生を知らせることができる。
【図面の簡単な説明】
【００１６】
【図１】本発明に係る原稿読取装置が用いられたデジタル複合機の外観を示す斜視図
【図２】イメージスキャナ装置の構成を示す正面断面図
【図３】導入経路及び片面用排出経路を説明する模式図
【図４】第１反転経路を説明する模式図
【図５】第２反転経路を説明する模式図
【図６】両面用排出経路を説明する模式図
【図７】裏面側の開閉カバーの構成を示す図
【図８】裏面側の開閉カバーが開いた状態を示す図
【図９】搬送ユニットを開いた状態を示す図
【図１０】開閉カバーを開いたまま搬送ユニットを閉じていく状態を示す図
【図１１】第２検出部の構成を示す図
【図１２】制御機能を示すブロック図
【図１３】原稿搬送ユニット２４の底部でジャムが発生した場合のジャム解除の動作を示すフローチャート
【発明を実施するための形態】
【００１７】
本発明に係る原稿読取装置の好適な実施形態を図面を用いて説明する。図１は、本発明に係る原稿読取装置が用いられたデジタル複合機の外観を示す斜視図である。
【００１８】
＜複合機の全体構成＞
複合機１は、コピー機能及びファクシミリ機能を備えており、イメージスキャナ装置（原稿読取装置を構成する）１１を複合機１の上部に備えている。また、複合機１は、コピー部数、ファクシミリ送信先及び原稿読み取り等を指示するための操作パネル１２を備えている。
【００１９】
さらに、複合機１は、記録媒体としての用紙に画像を形成する画像形成部等を内蔵した複合機本体１３と、用紙を順次供給する給紙カセット１４と、を備えている。なお、複合機本体１３は、通信回線を介して画像情報を伝送するための不図示の送受信部等を備えている。
【００２０】
次に、図２を参照して、複合機１が備えるイメージスキャナ装置１１について説明する。図２は、イメージスキャナ装置１１の構成を示す正面断面図である。なお、本実施形態における正面図は、搬送されるシート状原稿の幅方向から見た図に相当する。
【００２１】
図２に示すように、イメージスキャナ装置１１は、原稿台カバー２１と、プラテンガラス２２（原稿載置面に相当）と、コンタクトガラス２３と、を備えている。この原稿台カバー２１には、原稿搬送ユニット（オートドキュメントフィーダー、ＡＤＦとも称する）２４が備えられている。また、イメージスキャナ装置１１は、プラテンガラス２２及びコンタクトガラス２３の下方に、原稿１００の画像情報を読み取るためのスキャナーユニット２５（画像読取部に相当）を備えている。
【００２２】
スキャナーユニット２５は、原稿台の内部で左右方向に移動可能なキャリッジ１１０を備えている。このキャリッジ１１０には、光源１１１と、複数の反射ミラー１１２と、集光レンズ１１３と、ＣＣＤ１１４と、が配置されている。光源１１１は、読み取り原稿に対して光を照射し、読み取り原稿からの反射光は、複数の反射ミラー１１２で反射した後、集光レンズ１１３を透過および収束してＣＣＤ１１４において結像される。そして、ＣＣＤ１１４は、入射された収束光を電気信号に変換して出力する。
【００２３】
また、原稿台カバー２１が備える原稿搬送ユニット２４は、図２に示すように、当該原稿台カバー２１の上部に設けられた給紙トレイ５２と、この給紙トレイ５２の下方に設けられた排紙トレイ５３と、を備える。また、原稿搬送ユニット２４の内部には、給紙トレイ５２と排紙トレイ５３をと連結する原稿搬送経路４０が形成されている。
【００２４】
ユーザーが図１に示す操作パネル１２（表示部に相当）を操作して、イメージスキャナ装置１１をオートドキュメントフィードスキャナとして使用するように指示すれば、給紙トレイ５２に重ねてセットされた原稿１００が、原稿搬送経路４０に沿って１枚ずつ搬送される。そして、原稿搬送経路４０に沿って搬送される原稿１００がコンタクトガラス２３のガラス面（読取位置１１６）を通過するときに、この原稿１００の画像情報がスキャナーユニット２５によって読み取られる。その後、原稿１００は、原稿搬送経路４０に沿って搬送されて、排紙トレイ５３へ排出される。
【００２５】
一方、イメージスキャナ装置１１をブックスキャナとして使用する場合は、読み取るべき原稿をユーザーがプラテンガラス２２上に載置する。そして、原稿搬送ユニット２４の下部に配置されたプラテンシート５１によって、原稿を上側から押圧して、動かないように固定する。この状態で、キャリッジ１１０が左右方向に移動しながらスキャナーユニット２５が読み取りを行うことで、原稿の画像情報が読み取られる。
【００２６】
＜原稿搬送ユニット（ＡＤＦ）の詳細構成＞
次に、原稿搬送ユニット２４の内部の構成を詳細に説明する。なお、以下の説明において、正面視で給紙トレイ５２がある側を単に「右側」と称し、正面視におけるその反対側を単に「左側」と称することがある。
【００２７】
本実施形態に係る原稿搬送ユニット２４は、原稿１００の片面（第１面）のみを読み取るときと、原稿１００の両面（第１面及び第２面）を読み取るときと、原稿１００の搬送される経路が異なるように構成されている。はじめに、原稿１００の片面のみを読み取るときの経路と、その経路に配置される部材について、図２及び図３を参照して説明する。図３は、導入経路４１及び片面用排出経路４３を説明する模式図である。
【００２８】
原稿１００の片面のみを読み取るときは、図３に示すように、原稿１００を読取位置１１６まで案内するための導入経路４１と、原稿１００を読取位置１１６から排紙トレイ５３まで案内するための片面用排出経路４３と、に沿って原稿１００が搬送される。
【００２９】
導入経路４１には、上流側から順に、ピックアップローラ３０と、分離ローラ３１と、レジストローラ３２と、三連ローラ３３と、搬送ローラ（送りローラ）３４と、が配置されている。以下、上流側から下流側の順で、導入経路４１の経路上に配置される各部の構成について説明する。
【００３０】
導入経路４１の上流側の端部近傍には、ピックアップローラ３０及び分離ローラ３１が配置されている。ピックアップローラ３０は、分離ローラ３１の回転軸を中心にして回動可能に構成されており、原稿搬送ユニット２４の非動作時においては、図２における上側にピックアップローラ３０が保持されている。一方、原稿１００を繰り込む際はピックアップローラ３０が下方に回動し、給紙トレイ５２に重ねてセットされている原稿１００のうち、最上層にある原稿１００の端部に接触する。この状態でピックアップローラ３０が回転することによって、給紙トレイ５２の最上層の原稿１００が分離ローラ３１へ搬送される。
【００３１】
ピックアップローラ３０の駆動によって分離ローラ３１へ送られた原稿１００は、回転駆動する分離ローラ３１によって１枚ずつ分離された後に、下流側に配置されたレジストローラ３２へ搬送される。
【００３２】
レジストローラ３２は、対向するローラと共に、搬送されてくる原稿１００の先端部を一時的に止めて弛ませ、所定時間後に弛みを除去しつつ下流側に搬送する。これにより、原稿１００の斜行が矯正される。レジストローラ３２を通過した原稿１００は、下流側に配置された三連ローラ３３へ搬送される。
【００３３】
なお、分離ローラ３１から三連ローラ３３のやや上流側までの導入経路４１は、直線状の経路となっている。
【００３４】
三連ローラ３３は、中央に配置される駆動ローラ３３１と、この駆動ローラ３３１を挟持するように上下に配置される従動ローラ３３２，３３３とで構成されている。導入経路４１に沿って搬送される原稿１００は、駆動ローラ３３１とその上方に配置される従動ローラ３３２の間を通過して左斜め下方へ搬送される。三連ローラ３３を通過した原稿１００は、下流側に配置された搬送ローラ３４へ搬送される。なお、駆動ローラ３３１の下方に配置される従動ローラ３３３は、従動ローラ３３２と回転方向が逆となっており、駆動ローラ３３１と従動ローラ３３３との間を通過する原稿１００を右側へ搬送することができる。
【００３５】
搬送ローラ３４は、対向するローラと共に原稿１００をニップして回転することで、この原稿１００を右斜め下側（読取位置１１６側）へ搬送する。そして、原稿１００が読取位置１１６を通過するときに、スキャナーユニット２５によって第１面（表面）の画像情報が読み取られる。なお、この搬送ローラ３４は、回転方向を切り換え可能に構成されており、逆方向に回転することで、原稿１００を左斜め上方向（三連ローラ３３側）へ搬送することができる。
【００３６】
なお、三連ローラ３３のやや上流側から読取位置１１６までの導入経路４１は、左側に膨らんだ（左側に凸になるように湾曲した）経路（図３に示す導入湾曲経路４１１）となっている。
【００３７】
＜片面用排出経路＞
次に、片面用排出経路４３について説明する。片面用排出経路４３には、上流側から順に、三連ローラ３５と、搬送ローラ３６と、共通ローラ３８及び対向ローラ３９と、が配置されている。以下、上流側から下流側の順で、片面用排出経路４３の経路上に配置される各部の構成について説明する。
【００３８】
読取位置１１６のやや下流側には、上下に分岐する箇所があり、この分岐箇所の近傍には、三連ローラ３５が配置されている。この三連ローラ３５は、中央に配置されるレジストローラ３５１（第２送りローラ、駆動ローラ）と、レジストローラ３５１を挟持するように上下に配置される従動ローラ３５２，３５３とで構成されている。スキャナーユニット２５によって画像情報が読み取られた原稿１００は、レジストローラ３５１とその上方に配置される従動ローラ３５２との間を通過して右斜め上側へ搬送される。この三連ローラ３５を通過した原稿１００は、下流側に配置された搬送ローラ３６によって、この搬送ローラ３６の右斜め下側に位置する共通ローラ３８へ搬送される。なお、このレジストローラ３５１は、前記のレジストローラ３２と同等の構成となっており、レジストローラ３５１とその下方に配置される従動ローラ３５３との間を左斜め下側へ搬送される原稿１００の斜行を矯正することができる。
【００３９】
共通ローラ３８は、対向するように配置された対向ローラ３９と共に原稿１００をニップして回転することで、この原稿１００を右側へ搬送して、排紙トレイ５３に排出する。以上のようにして、給紙トレイ５２にセットされた原稿１００の片面のみの画像情報が読み取られる。なお、この共通ローラ３８は回転方向を切り換え可能に構成されており、原稿１００の排出を行うときと逆方向に回転することで、原稿１００を左側（読取位置１１６側）へ搬送することができる。
【００４０】
＜両面読み取り＞
次に、原稿１００の両面を読み取るときの経路について、図２及び図４から図６までを参照して説明する。図４は、第１反転経路４５を説明する模式図である。図５は、第２反転経路４６を説明する模式図である。図６は、両面用排出経路４７を説明する模式図である。
【００４１】
原稿１００の両面を読み取るときにおいても、原稿１００の片面のみを読み取るときと同様に、給紙トレイ５２にセットされた原稿が導入経路４１に沿って読取位置１１６まで搬送される。そして、原稿１００の第１面の画像情報がスキャナーユニット２５によって読み取られる。また、本実施形態の原稿搬送ユニット２４は、原稿１００の搬送方向の長さ（原稿長さ）を検出可能に構成されており、検出された原稿長さに基づいて不図示の経路ガイド等を操作することで、導入経路４１の次に原稿１００が搬送される経路を切り換え可能に構成されている。
【００４２】
初めに、原稿長さが短い場合に原稿１００が搬送される経路について説明する。この場合の原稿１００は、導入経路４１に沿って読取位置１１６まで搬送された後に、図４に示す第１反転経路４５に沿って搬送されるように構成されている。この第１反転経路４５は、上流側から順に、第１反転前経路４５１と、第１反転中経路４５２と、第１反転後経路４５３とから構成されている。
【００４３】
第１反転前経路４５１には、上流側から順に、三連ローラ３５と搬送ローラ３６とが配置されている。第１反転前経路４５１に沿って搬送される原稿１００は、片面用排出経路４３と同様に、レジストローラ３５１とその上方に配置される従動ローラ３５２の間を通過して右斜め上方へ搬送される。そして、原稿１００は、搬送ローラ３６によって、右方向へ搬送されて第１反転中経路４５２へ搬送される。
【００４４】
第１反転中経路４５２は、途中までは片面用排出経路４３と同様に、右斜め下方へ原稿１００を案内する。しかし、その途中の分岐箇所から後は、原稿１００が左斜め下方へ搬送されるように案内する。この第１反転中経路４５２は、右側に膨らんだ（右側に凸となるように湾曲した）経路となっている。この第１反転中経路４５２に沿って搬送されることで、原稿１００の表裏が反転する。つまり、第１反転中経路４５２に沿って搬送される前までは下側（スキャナーユニット２５側）を向いていた第１面が、第１反転中経路４５２に沿って搬送された後は、上側を向くようになる。そして、第１反転中経路４５２に沿って搬送された原稿１００は、第１反転後経路４５３へ搬送される。
【００４５】
第１反転後経路４５３には、上流側から順に、搬送ローラ３７と三連ローラ３５とが配置されている。第１反転後経路４５３に沿って搬送される原稿１００は、搬送ローラ３７によって左側へ搬送されて、三連ローラ３５のレジストローラ３５１によって斜行が矯正された後に、読取位置１１６を通過する。このようにして、原稿長さが短い場合の原稿１００を反転させている。
【００４６】
次に、原稿長さが長い場合の原稿１００を反転させる経路について説明する。ここで、原稿長さが長い場合とは、原稿長さが第１反転経路４５の長さと同等か、原稿長さのほうが長い場合を意味する。仮に、原稿長さが長い原稿１００を第１反転経路４５に沿って搬送した場合、原稿１００の後端部が読取位置１１６にまだ残っている状態で反転後の原稿１００の先端部が読取位置１１６を通過しようとするため、原稿１００が重なってしまい、紙詰まりを起こしてしまう。そのため、図５に示すように、原稿長さが長い場合における原稿１００が通過する第２反転経路４６は、第１反転経路４５よりも長く構成されている。
【００４７】
第２反転経路４６は、第２反転前経路４６１と、第２反転中経路４６２と、第２反転後経路４６３とから構成されている。第２反転前経路４６１は、第１反転前経路４５１よりも更に右側へ延びている。第２反転中経路４６２は、第１反転中経路４５２と同様に、右側に膨らんだ（右側に凸となるように湾曲した）経路を有している。第２反転後経路４６３は、第１反転後経路４５３よりも更に右側へ延びている。
【００４８】
なお、第２反転後経路４６３が原稿１００を左側へ搬送するときに共通ローラ３８を経由するが、前述のように、共通ローラ３８は回転方向を切り換え可能であるため、共通ローラ３８により原稿１００を左側へ搬送することができる。このように共通ローラ３８は、排出ローラとしての機能と搬送ローラとしての機能とを備えている。このように、原稿長さが長い場合の原稿１００を反転させている。
【００４９】
そして、第１反転経路４５又は第２反転経路４６によって反転され、第２面（裏面）の画像情報が読み取られた原稿１００は、図６に示す両面用排出経路４７へ搬送される。
【００５０】
両面用排出経路４７に沿って搬送される原稿１００は、読取位置１１６を左側へ通過した後に、搬送ローラ３４によって左斜め上側へ搬送される。そして、原稿１００は、駆動ローラ３３１と、その下方に配置される従動ローラ３３３との間を通過して右方向へ搬送される。
【００５１】
なお、読取位置１１６から三連ローラ３３までの両面用排出経路４７は、左側に膨らんだ（左側に凸になるように湾曲した）経路（図６に示す排出湾曲経路４７１）となっている。なお、導入湾曲経路４１１に沿って搬送される原稿１００と、排出湾曲経路４７１に沿って搬送される原稿１００とでは、原稿１００の搬送方向が互いに逆方向となっている。この点、本実施形態の搬送ローラ３４は、回転方向を切り換え可能であり、更に、従動ローラ３３２と従動ローラ３３３の回転方向が互いに逆方向となるため、上記の双方向搬送に対応している。
【００５２】
そして、両面用排出経路４７に沿って搬送され、三連ローラ３３を通過した原稿１００は、右方向に搬送され、搬送ローラ３６を経由した後に、右斜め下方へ搬送される。そして、片面用排出経路４３に沿って搬送される原稿１００と同様に、共通ローラ３８及び対向ローラ３９によって、排紙トレイ５３に排出される。なお、搬送ローラ３６のやや下流の分岐箇所から共通ローラ３８のやや上流の分岐箇所までの両面用排出経路４７は、第２反転前経路４６１と第２反転後経路４６３とを接続している（図６に示す接続経路４７２）。以上のように、給紙トレイ５２にセットされた原稿１００の両面の画像情報が読み取られる。
【００５３】
＜ジャム検出部＞
次に、ジャム検出部２７の構成を説明する。ジャム検出部２７は、図７に示すように、ジャム検出センサー２７０により構成されており、発光部２７０ａと受光部２７０ｂにより構成されている。搬送経路を挟んでジャム検出センサー２７０と対向する位置に反射部２７１が設けられている。反射部２７１は、例えば、反射ミラーにより構成することができる。原稿１００が存在していないときは、発光部２７０ａから出力された光は、反射部２７１で反射されて、受光部２７０ｂにより検出される。これにより、搬送経路には原稿１００が存在しないことが分かる。
【００５４】
また、原稿１００が存在する場合は、発光部２７０ａからの光は原稿１００で遮断されるため、受光部２７０ｂで受光することができない。これにより、搬送経路における原稿１００の存在を判断することができる。
【００５５】
ジャム検出センサー２７０は、原稿１００の裏面読み取り時において、搬送されてきた原稿１００の先端部を検出し、画像情報の読み取りタイミングを設定するために設けられる。通常通りに原稿１００が搬送されていれば、所定時間内に原稿１００の後端部が検出される。一方、ジャム（紙詰まり）が発生した場合は、原稿１００の後端部を所定時間内に検出することができない。これにより、ジャム発生の有無を判断することができる。従って、ジャム検出センサー２７０は、原稿の読み取りタイミングの制御と、ジャム発生の有無を検出する、という機能を備えている。
【００５６】
なお、図７に示すジャム検出センサー２７０は、反射型光センサーであるが、透過型光センサーを用いてもよい。この場合は、搬送経路を挟むように発光部と受光部が設けられ、原稿１００が存在していれば、発光部からの照射光は遮断され、受光部で受光することができない。原稿１００が存在していなければ、受光部へ光が到達し、受光することができる。光センサーの具体的な構成は、種々の変形例が可能である。
【００５７】
なお、図７では、三連ローラ３５の上流側にジャム検出センサー２７０を配置しているが、適宜の場所に複数のジャム検出センサーを配置することができる。配置する場所により、どの場所でジャムが発生したのかを検出することができ、その後の処理を適切に行うことができる。
【００５８】
原稿搬送ユニット２４の外観部には、図７に示すように、裏面側にカバー１３０、側面から上部にかけて開閉可能な開閉カバー１３１が設けられている。さらに、裏面側にも、開閉可能な開閉カバー１３２（開閉部材に相当）が設けられている。この開閉カバー１３２は、底面側からジャムを解除するために設けられている。導入経路４１でジャムが生じた場合は、上部の開閉カバー１３１を開くことで、搬送経路を露出させて原稿１００を取り出すことができる。上部の開閉カバー１３１は、回転支点１３１ａ周りに回転させることができる。
【００５９】
図７のように、原稿１００の両面を読み取る場合は、原稿搬送ユニット２４の底部にも搬送経路が存在するため、そのような底部でジャムが発生した場合、上部の開閉カバー１３１を開いただけでは、原稿１００を取り出すことが困難な場合がある。特に、原稿１００の両面読み取りのため反転経路を有する場合は、底部の搬送経路も長くなる。そこで、底部にも開閉可能な開閉カバー１３２を設けている。
【００６０】
図８は、開閉カバー１３２を開いた状態を示している。開閉カバー１３２は、不図示のロック機構により原稿搬送ユニット２４の裏面側にロックされており、これを手動操作で解除することで、開閉カバー１３２を開くことができる。なお、ロック機構は公知の構造を採用することができる。
【００６１】
開閉カバー１３２の回転中心は、共通ローラ３８の回転軸３８ａと同軸に設定されている。また、三連ローラ３５の従動ローラ３５３と、搬送ローラ３７に圧接する従動ローラ３７ａは、開閉カバー１３２と一体的にユニット化されている。これにより、底面側の搬送経路を露出させることができ、底面側の搬送経路でジャムが発生したとしても、原稿１００を取り出すことができる。
【００６２】
また、ジャム検出部２７のジャム検出センサー２７０も開閉カバー１３２とユニット化されており、開閉カバー１３２を開くと、ジャム検出センサー２７０も一緒に移動する。このジャム検出センサー２７０は、開閉カバー１３２の開閉状態を検出する第１検出部８０（図１２参照）として機能する。すなわち、開閉カバー１３２を開くと、ジャム検出センサー２７０と反射部２７１との間隔が大きくなるため、開閉カバー１３２が開いている状態と判断できる。
【００６３】
なお、開閉カバー１３２の開閉状態の検出は、ジャム検出センサー２７０と兼用する必要はなく、専用のセンサーにより行ってもよい。
【００６４】
裏面側の開閉カバー１３２を開くためには、原稿搬送ユニット２４（原稿台カバー２１）を開いた状態にする必要がある。図９は、原稿搬送ユニット２４を開いた状態で、かつ、開閉カバー１３２も開いた状態を示す。この状態で、原稿搬送ユニット２４の裏面側から原稿１００を取り出し、ジャムを解消させることができる。
【００６５】
ジャムを解除した後は、開閉カバー１３２を閉じて、原稿搬送ユニット２４を閉じる必要があるが、開閉カバー１３２を開いたまま原稿搬送ユニット２４を閉じようとすれば、図１０のような状態になる。そうすると、開閉カバー１３２の端部がプラテンガラス２２（原稿載置面）、左右方向の原稿ガイド２２０、又は、前後方向の原稿ガイド２２１に接触し、これらの部品を損傷し、あるいは、破壊してしまうことがある。そこで、本発明では、開閉カバー１３２を開いたまま原稿搬送ユニット２４を閉じようとすれば、警告通知を行うようにしている。
【００６６】
＜第２検出部の構成＞
そのために、まず、原稿搬送ユニット２４の開閉状態を検出するための第２検出部８１を設けている。第２検出部８１の構成を図１１に示す。
【００６７】
図１１に示すように、第２検出部８１は、検出部材８１０を備えている。  図１１（ａ）（ｂ）（ｃ）は検出部材８１０が原稿搬送ユニット２４により押し込まれていくときの状態を示す。図１１（ｄ）は、第２検出部８１の平面図を示す。
【００６８】
検出部材８１０はその先端部分が外部に突出しており（図９、図１０参照）、突出方向に不図示のばねにより付勢されている。検出部材８１０の上部先端は、付勢力に抗して、原稿搬送ユニット２４の閉じ動作により下方に押し込まれる構成となっている。
【００６９】
検出部材８１０には、第１プレート８１１と第２プレート８１２が一体となっており、これらプレート８１１，８１２も検出部材８１０と一体に上下動する。第１プレート８１１の鉛直方向の長さは、第２プレート８１２の鉛直方向の長さよりも短く設定されている。
【００７０】
第１プレート８１１側には、第１検出センサー８１３が設けられており、発光部８１３ａと受光部８１３ｂが第１プレート８１１を挟むような位置関係にある。第２プレート８１２側にも、第２検出センサー８１４が設けられており、発光部８１４ａと受光部８１４ｂが第２プレート８１２を挟むような位置関係にある。
【００７１】
プレート８１１，８１２が、発光部８１３ａ，８１４ａと受光部８１３ｂ，８１４ｂの間に位置している時は、光が遮断されている状態であるが、プレート８１１，８１２が下がると、受光部８１３ｂ，８１４ｂに光が到達する。これにより、タイミングを検出することができる。
【００７２】
第１検出センサー８１３は、原稿搬送ユニット２４が２０°（所定角度に相当）開いた状態か否かを検出する。すなわち、原稿搬送ユニット２４を大きく開いた状態から徐々に閉じていく時に、角度θが２０°になったときに、第１検出センサー８１３から第１プレート８１１が退避し、光を受光可能になる（図１１（ｂ）参照）。この角度は２０°でなくてもよく、例えば、１５°〜２５°の範囲で適宜設定できる。もちろん１５°〜２５°以外の範囲でも設定可能である。
【００７３】
第２検出センサー８１４は、原稿搬送ユニット２４が閉じる直前、または閉じた状態を検出する（図１１（ｃ）参照）。閉じる直前とは、例えば、角度θが５゜以下であり、閉じた状態とはθ＝０である。なお、この角度は、第１検出センサー８１３により検出されるタイミングの角度よりも小さければ、任意に設定可能である。
【００７４】
上記のように、原稿搬送ユニット２４を閉じていく時に２つのタイミングで開閉状態を検出している。これらのセンサーは、もともとプラテンガラス２２に載置された原稿のサイズを検出する目的で設けられている（例えば、特開２０１０−２１９６６７号公報）。本発明では、この第２検出部８１の機能を、開閉カバー１３２の閉め忘れ警告を行う機能も兼用させるものである。
【００７５】
＜制御関係＞
次に、制御部５８の構成について、図１２のブロック図により説明する。制御部５８の構成は、本発明と関連する主要な部分を説明する。制御部５８は、ジャム検出センサー２７０を有するジャム検出部２７の検出結果に基づいて、ジャムが発生したか否かを検出する。また、複数のジャム検出センサーを配置している場合は、どの場所でジャムが発生したかを判断することができる。
【００７６】
ジャムが発生したことは、メッセージ出力部５８５の機能に基づいて、表示パネル１２０に表示させることができる。また、底部の搬送経路にあるジャム検出センサー２７０によりジャムが検出された場合は、開閉カバー１３２を開放するように促すメッセージを出力することができる。メッセージは、視覚的な表示を表示パネル１２０にしてもよいし、スピーカーやブザー等の音声出力部５８６により出力してもよい。
【００７７】
また、第１検出部８０（ジャム検出部２７）により開閉カバー１３２の開閉状態を検出され、かつ、原稿搬送ユニット２４がプラテンガラス２２に対して閉じていくときに所定角度以下になった場合、制御部５８は、警告通知部５８４により警告通知を行わせる。警告通知部５８４による警告は表示パネル１２０に行ってもよいが、ユーザーはただちに開閉カバー１３２が開いていることを認識することができる。
【００７８】
なお、前述のように、本実施形態ではジャム検出部２７と第１検出部８０の機能は、兼用されているが、これらを別個独立した機能として構成してもよい。
【００７９】
＜ジャム解除の動作＞
次に、原稿搬送ユニット（ＡＤＦ）２４の底部でジャムが発生した場合のジャム解除の動作を図１３により説明する。三連ローラ３５の上流側にあるジャム検出センサー２７０により、ジャムが検出されたと仮定する。制御部５８によりいずれかの場所でジャムが発生した場合は、その旨が表示パネル１２０に表示される。
【００８０】
まずジャム検出センサー２７０がオンか否かを制御部５８により判断する（Ｓ２）。ジャム検出センサー２７０がオンであるということは、原稿１００が存在しているか、開閉カバー１３２が開いているかのどちらかである。ジャム検出センサー２７０がオフであるということは、原稿１００が無く、かつ、開閉カバー１３２も閉じているということである。
【００８１】
従って、ジャム検出センサー２７０がオフで、かつ、ジャムが発生している場合、ジャムは底部で発生しているのではなく、他の箇所で発生していることになる。そこで、上部からのジャム解除をするような指示を表示パネル１２０で行う（Ｓ２０）。次に、ジャムを解除（原稿１００を取り除く）して終了する（Ｓ２１）。
【００８２】
ステップＳ２において、ジャム検出センサー２７０がオンであると判断された場合、原稿搬送ユニット２４の裏面からのジャム解除を行うように、表示パネル１２０に表示させる（Ｓ３）。すなわち、底面側の開閉カバー１３２を開くように表示パネル１２０で指示する。次に、第１検出センサー８１３がオンになったか否かを制御部５８により判断する（Ｓ４）。第１検出センサー８１３がオンであることは、原稿搬送ユニット２４が所定角度以上開いた（持ち上げられた）ことを意味する。開閉カバー１３２を開くためには、原稿搬送ユニット２４を開く必要があるからである。第１検出センサー８１３がオフであるということは、原稿搬送ユニット２４が閉じている状態、又は、所定角度以下しか開いていない状態を示す。従って、ステップＳ４においては、ステップＳ２へ戻る。
【００８３】
次に、ジャム検出センサー２７０がオンになったか否かを判断する（Ｓ５）。ジャム検出センサー２７０がオフになっている場合、表示パネル１２０におけるジャム解除の指示表示を消す（Ｓ２２）。これは、上部から原稿１００を引き出してジャムを解除できるケースもあるからである。
【００８４】
ステップＳ５において、ジャム検出センサー２７０がオンのままである場合、第１検出センサー８１３がオフか否かを判断する（Ｓ６）。オフであれば、原稿搬送ユニット２４は所定角度以上開いた状態のままであるから、オンになるまで待機する。オンになれば、原稿搬送ユニット２４を閉じていく過程で所定角度以下になったこと判断することができる。
【００８５】
ステップＳ６で所定角度以下になった時、再び、ジャム検出センサー２７０がオンになったか否かを判断する（Ｓ７）。オフになっていれば、原稿１００はなく、かつ、開閉カバー１３２も閉じられていると判断できるので、表示パネル１２０におけるジャム解除の指示表示を消して（Ｓ２２）、終了する。
【００８６】
そして、ステップＳ７でジャム検出センサー２７０がオンになっていれば、警告通知部５８４により表示パネル１２０の警告表示、及び／又は、警告音又は音声による案内を出力する（Ｓ８）。この警告には、次のような意味がある。ジャム検出センサー２７０がオンであるということは、開閉カバー１３２が開いている可能性があるので、開閉カバー１３２を開いたまま原稿搬送ユニット２４を閉じようとしていることを警告する。また、仮に、開閉カバー１３２が閉じていた場合は、原稿１００が残ったままであると判断できるので、ジャムを解除すべきことを意味する警告となる。
【００８７】
警告通知を行っている時に、第１検出センサー８１３がオンになったか否かを判断する（Ｓ９）。第１検出センサー８１３がオフのままであれば、原稿搬送ユニット２４を所定角度以上になるように戻していないと判断できるので、ステップＳ８に戻り、警告通知を継続する。
【００８８】
第１検出センサー８１３がオフになれば、原稿搬送ユニット２４を所定角度以上になるように開いたと判断できるので、警告通知を終了する（Ｓ１０）。その後、ステップＳ５に戻り、同様の手順を行う。
【００８９】
＜別実施形態＞
以上に本発明の好適な実施の形態を説明したが、上記の構成は例えば以下のように変更することができる。
【００９０】
開閉カバー１３２の回転軸は、前後方向（回転軸３８ａの方向）に設定されているが、これに限定されるものではない。例えば、左右方向に回転軸を設定してもよい。また、前後方向に設定する場合でも、回転軸３８ａとは異なる位置に回転中心を設定してもよい。
【００９１】
本実施形態では、第２検出部８１は、原稿のサイズを検出するセンサーを兼用しているが、これらとは別個独立して設けてもよい。検出する時の角度は、適宜変更することができる。
【００９２】
ジャム検出部２７を構成するジャム検出センサー２７０と反射部２７１の配置を逆にしてもよい。すなわち、開閉カバー１３２の側に反射部２７１を配置してもよい。
【００９３】
上記実施形態で用いた縮小光学系のスキャナーユニット２５に代えて、密着型イメージセンサ等を使用する構成に変更することができる。
【００９４】
上記実施形態ではイメージスキャナ装置１１は複合機１の一部として備えられているが、この構成に代えて、単体のイメージスキャナ装置として構成することができる。
【符号の説明】
【００９５】
１          複合機
１００      原稿
１１６      読取位置
１２        操作パネル
１２０      表示パネル
１３１      開閉カバー
１３２      開閉カバー
２２        プラテンガラス
２３        コンタクトガラス
２４        原稿搬送ユニット（ＡＤＦ）
２７        ジャム検出部
２７０      ジャム検出センサー
５８        制御部
５８４      警告通知部
５８５      メッセージ出力部
５８６      音声出力部
８０        第１検出部
８１        第２検出部
８１０      検出部材
８１３      第１検出センサー
８１４      第２検出センサー
【図１】
2012156635.tif 000003
【図２】
2012156635.tif 000004
【図３】
2012156635.tif 000005
【図４】
2012156635.tif 000006
【図５】
2012156635.tif 000007
【図６】
2012156635.tif 000008
【図７】
2012156635.tif 000009
【図８】
2012156635.tif 000010
【図９】
2012156635.tif 000011
【図１０】
2012156635.tif 000012
【図１１】
2012156635.tif 000013
【図１２】
2012156635.tif 000014
【図１３】
2012156635.tif 000015